(57)【特許請求の範囲】
【請求項１】
水道水に含まれる遊離塩素を還元する徐溶性の還元剤の成形体を配設した収納部と、前記成形体へ水道水を供給する吐出口を有する給水部とを備え、前記収納部に配設した蓋部に前記吐出口からの吐出水が覆う大きさを有する導水口を設け、前記吐出水の一部を前記成形体の表面を経由し収納部に設けた排水口を通して水槽内へ給水するように構成した洗濯機。
【請求項２】
収納部に配設した蓋部の導水口の面積を、吐出口の開口面積より小さくした請求項１記載の洗濯機。
【請求項３】
収納部に設けた排水口にフィルターを配置した請求項１または２記載の洗濯機。
【請求項４】
給水経路に配設した吐出口に吐出水案内用の管部を設け、前記管部の吐出口を蓋部の導水口に対向させた請求項１〜３のいずれか１項に記載の洗濯機。
【請求項５】
管部の出口部の内径を絞った請求項４記載の洗濯機。
【請求項６】
導水口の周縁部を蓋部の内方に向けて傾斜させた請求項１〜５のいずれか１項に記載の洗濯機。
【請求項７】
導水口の周縁部の傾斜面に流水方向に長い複数個の溝を設けた請求項６記載の洗濯機。
【請求項８】
導水口の周縁部の傾斜面を略すり鉢状に構成し、前記傾斜面に導水口の中心に向かう複数個の略円弧状の溝を設けた請求項６記載の洗濯機。
【請求項９】
導水口から受け入れる水を収納部内で拡散する略傘状の水受け部を配設した請求項１〜８のいずれか１項に記載の洗濯機。
【請求項１０】
収納部に配設した蓋部の裏面に導水口を囲むように凸部を設けた請求項１〜９のいずれか１項に記載の洗濯機。
【請求項１１】
還元剤の成形体を配設した収納部を、洗濯機本体側に対し着脱自在に装着した請求項１〜１０のいずれかに１項記載の洗濯機。
【請求項１２】
還元剤の成形体を配設した収納部または収納部に配設した蓋部の内、すくなくとも一方を透視可能な構成とした請求項１〜１１のいずれか１項に記載の洗濯機。
【請求項１３】
導水口を開閉自在とした請求項１〜１２のいずれか１項に記載の洗濯機。
【請求項１４】
収納部に設けた排出口を、閉塞可能とした請求項１１に記載の洗濯機。
【発明の詳細な説明】
【０００１】
【発明の属する技術分野】
本発明は、洗濯槽に給水する水または洗濯液中に含まれる遊離塩素を除去できるようにした洗濯機に関するものである。
【０００２】
【従来の技術】
従来、洗濯機に給水する水道水中の残留遊離塩素を除去する技術は、特開平２−１３６１７０号公報、特開平６−１５４４７４号公報、特開平６−２３８０９２号公報などに記載されたものが知られている。
【０００３】
特開平２−１３６１７０号公報に記載されているものは、図１４に示すように、給水ホース１を接続した給水弁２に内部ホース３を接続し、この内部ホース３に給水経路切換部４を接続し、この給水経路切換部４により遊離塩素除去材を充填したカートリッジ（図示せず）を内蔵した残留遊離塩素除去装置５を通して、残留遊離塩素を除去した水道水を給水口６から水槽内に給水できるように構成している。
【０００４】
特開平６−１５４４７４号公報に記載されているものは、図１５に示すように、給水ホース１を２連給水弁７に接続し、この２連給水弁７の一方に遊離塩素除去材８を充填したカートリッジ９を内蔵した残留遊離塩素除去装置１０を接続し、残留遊離塩素除去装置１０の流入口１１より入った水道水を遊離塩素除去材８を通して流出口１２より出し、残留遊離塩素を除去した水道水を給水口６から水槽内に給水できるように構成している。
【０００５】
また、特開平６−２３８０９２号公報に記載されているものは、図１６に示すように、給水弁２に接続した内部ホース３を通して給水する給水経路に、遊離塩素除去剤８を充填したカートリッジ１３を収納するフィルターケース１４を引き出し状に着脱自在に取り付け、フィルターケース１４を装着時には水槽内へ残留遊離塩素を除去した水道水を給水する構成としている。
【０００６】
【発明が解決しようとする課題】
特開平２−１３６１７０号公報、特開平６−１５４４７４号公報に記載された構成では、残留遊離塩素を除去した水道水を水槽内に給水するために、給水経路を完全に切り換えることにより、すべての給水が充填されている遊離塩素除去材中を通過させることと、緻密に充填した遊離塩素除去材中を通過させるために高い水圧を付加することが必要である。
【０００７】
さらに、還元剤を使用したカートリッジ方式では、還元剤としては還元作用を有する粉末の亜硫酸カルシウムを主成分とし、水に難溶性のエチルセルロース等をバインダー（結合剤）として粒状化したものが使用されていた。この結果、反応機構の原理は、残留遊離塩素が亜硫酸カルシウムの粒状体表面に接触して反応するものであった。
【０００８】
また、粒状体を充填した構成では、水の通りやすい部分と通りにくい部分を生じ易く、水圧を付加した状態で使用していると、水の通りやすい部分が他の部分よりも多くの残留遊離塩素と反応するために消費して、有効成分を多く残したままショートパスを生じて残留遊離塩素が漏れだして寿命となっていた。
【０００９】
また、活性炭を使用したカートリッジでは、水道水中に含まれる異物による目詰まりから、流量低下を生じるとともに、活性炭中を通過する流速が増して吸着能力を越えるために残留遊離塩素が徐々に漏れだして寿命となる。
【００１０】
いずれの場合においても、使用者が外から寿命を知ることは不可能なために、使用回数などから寿命を予測して報知することも要求される。
【００１１】
つぎに、特開平６−２３８０９２号公報に記載された構成では、残留遊離塩素を除去した水道水を水槽内に給水するために、カートリッジを収納したフィルターケースを装着したその部分において、水道水中に含まれる残留遊離塩素を除去するには、難溶性の還元剤では水道水との高い接触効率（広い接触面積）が要求されている。このことから、使用中に徐々に接触面積が小さくなり、同様に使用者が外から寿命を知ることは不可能なために、使用回数などから寿命を予測して報知することも要求される。
【００１２】
また、昜溶解性の還元剤では洗濯行程からすすぎ行程の各行程にわたって所定量の還元剤を水道水中に供給することは不可能であった。あまり過剰の還元剤が洗濯液中にあると還元作用により色柄物（染料）に変色を生じさせるために、ほぼ所定量の溶出に制御することが要求される。
【００１３】
本発明は上記課題を解決するもので、予め設定した所定量の還元剤を水道水中にあるいは洗濯液中に分散または溶解し、還元剤と残留遊離塩素を完全にかつ迅速に酸化還元反応させて残留遊離塩素を除去し、水道水に含まれる残留遊離塩素の酸化作用による色柄物（染料）の変退色やシルクの黄変や各種有機系の繊維表面加工材の酸化等を防止するとともに、還元剤の交換または補給時期がわかるようにすることを目的としている。
【００１４】
【課題を解決するための手段】
本発明は上記目的を達成するために、水道水に含まれる遊離塩素を還元する徐溶性の還元剤の成形体を収納部に配設し、吐出口を有する給水部により成形体へ水道水を供給する。収納部に配設した蓋部に吐出口からの吐出水が覆う大きさを有する導水口を設け、吐出水の一部が成形体の表面を経由して収納部に設けた排水口を通して水槽内へ給水するように構成したものである。
【００１５】
これにより、予め設定した所定量の還元剤を水道水中にあるいは洗濯液中に分散または溶解し、還元剤と残留遊離塩素を完全にかつ迅速に酸化還元反応させて残留遊離塩素を除去することができ、水道水に含まれる残留遊離塩素の酸化作用による色柄物（染料）の変退色やシルクの黄変や各種有機系の繊維表面加工材の酸化等を防止するとともに、還元剤の交換または補給時期についても使用者が成形体の消耗度合いを見ることで容易に知ることができる。
【００１６】
【発明の実施の形態】
本発明の請求項１に記載の発明は、水道水に含まれる遊離塩素を還元する徐溶性の還元剤の成形体を配設した収納部と、前記成形体へ水道水を供給する吐出口を有する給水部とを備え、前記収納部に配設した蓋部に前記吐出口からの吐出水が覆う大きさを有する導水口を設け、前記吐出水の一部を前記成形体の表面を経由し収納部に設けた排水口を通して水槽内へ給水するように構成したものであり、蓋部を配設した収納部内に水圧をかけて水道水を吐出し、多くの水道水を成形体表面を経由させることができ、給水液中にほぼ一定量の還元剤を溶出させ、還元剤を配設した部位以降の給水経路途中と水槽内で、給水した水道水に含まれる残留遊離塩素と酸化還元反応を生じさせることにより、残留遊離塩素を除去することができ、水道水に含まれる残留遊離塩素の酸化作用による色柄物（染料）の変退色やシルクの黄変や各種有機系の繊維表面加工材の酸化等を防止することができ、還元剤の交換または補給時期についても使用者が成形体の消耗度合いを見ることで容易に知ることができる。
【００１７】
請求項２に記載の発明は、上記請求項１に記載の発明において、収納部に配設した蓋部の導水口の面積を、吐出口の開口面積より小さくしたものであり、水道水圧や水量が変動しても、導水口の面積に対する吐出水の面積はほとんど変化しないので、導水口の外周に水道水による疑似パイプを形成することができ、収納部を通過する水道水と通過しない水道水の比率をほぼ一定となり、還元剤の溶出量を安定させることができる。
【００１８】
請求項３に記載の発明は、上記請求項１または２に記載の発明において、収納部に設けた排水口にフィルターを配置したものであり、使用中に還元剤の成形体が部分的に崩壊したり、成形体の表面に凝集物を生成しても、蓋部の導水口は水道水により覆われて水シールされており、排水口はフィルターで一定以上の塊は濾過されるので、収納部外に還元剤の粗大粒子が流出することはなく、洗濯物に還元剤の粒が付着するのを防止できる。
【００１９】
請求項４に記載の発明は、上記請求項１〜３に記載の発明において、給水経路に配設した吐出口に吐出水案内用の管部を設け、前記管部の吐出口を蓋部の導水口に対向させたものであり、水道水圧や流量の変動あるいは給水経路内の水圧分布に関係なく吐出水を整流して正確に導水口へ案内し、水道水を一定量流入させることができる。
【００２０】
請求項５に記載の発明は、上記請求項４に記載の発明において、管部の出口部の内径を絞ったものであり、吐出水の水圧を高めることができるので、吐出口と導水口との空間距離を大きくとった場合や収納部内の流路抵抗が高い場合でも、導水口へ水道水を一定量流入させることができる。
【００２１】
請求項６に記載の発明は、上記請求項１〜５に記載の発明において、導水口の周縁部を蓋部の内方に向けて傾斜させたものであり、導水口近傍の水道水へ吐出圧が加わり、吐出水が傾斜面に沿って成形体の収納部内に流入するので、吐出水の一定量を精度よく成形体の収納部へ流入させることができる。
【００２２】
請求項７に記載の発明は、上記請求項６に記載の発明において、導水口の周縁部の傾斜面に流水方向に長い複数個の溝を設けたものであり、導水口から受け入れる水を整流して成形体の収納部へ流入させることができる。
【００２３】
請求項８に記載の発明は、上記請求項６に記載の発明において、導水口の周縁部の傾斜面を略すり鉢状に構成し、前記傾斜面に導水口の中心に向かう複数個の略円弧状の溝を設けたものであり、導水口から受け入れる水に略円弧状の溝により回転を加えて、導入水の圧力分布を均等化して成形体の収納部へ流入させることができる。
【００２４】
請求項９に記載の発明は、上記請求項１〜８に記載の発明において、導水口から受け入れる水を収納部内で拡散する略傘状の水受け部を配設したものであり、導水口から受け入れる水を略傘状の水受け部で成形体の収納部内に拡散させるので、導水口での水圧低下が少なく成形体の表面を流れる水道水の流速を低下させることがなく、成形体の収納部への導入水量を増加させることができる。
【００２５】
請求項１０に記載の発明は、上記請求項１〜９に記載の発明において、収納部に配設した蓋部の裏面に導水口を囲むように凸部を設けたものであり、成形体が均一に消耗していく位置に凸部を配置して、導入水を成形体の表面へ案内することで、長期間一定量の還元剤を溶出することができる。
【００２６】
請求項１１に記載の発明は、上記請求項１〜１０に記載の発明において、還元剤の成形体を配設した収納部を、洗濯機本体側に対し着脱自在に装着したものであり、ユーザーが色物と白物の分け洗いを行う場合に、遊離塩素を除去する必要のある色物やシルク洗う時に還元剤の成形体を配設した収納部を装着し、白物を洗う場合には収納部を取り外すことで経済的に洗濯を行うことができる。また、メーカーは遊離塩素除去機能をオープション化することができる。
【００２７】
請求項１２に記載の発明は、上記請求項１〜１１に記載の発明において、還元剤の成形体を配設した収納部または収納部に配設した蓋部の内、すくなくとも一方を透視可能な構成としたものであり、成形体が徐々に消耗して交換時期となると、使用者へ成形体が消耗してなくなったこと示すことができる。
【００２８】
請求項１３に記載の発明は、上記請求項１〜１２に記載の発明において、導水口を開閉自在に構成したものであり、ユーザーが色物と白物の分け洗いを行う場合に、遊離塩素を除去する必要のある色物やシルクを洗う時に導水口を開き、白物を洗う場合に導水口を閉じることを負担なく行い、経済的に洗濯することができる。
【００２９】
請求項１４に記載の発明は、上記請求項１１に記載の発明において、収納部に設けた排出口を、閉塞可能としたものであり、収納部を洗濯機本体側から取り外した時に排出口を閉じておくことで、還元剤の溶出した残水による他への汚染を防止するので何処にでも置くことができる。
【００３０】
【実施例】
以下、本発明の実施例について、図面を参照しながら説明する。
【００３１】
（実施例１）
図１に示すように、給水ノズル（給水部）１５は、給水弁（図示せず）と連通して水道水を供給するもので、吐出水を広げる傾斜を有する吐出口１６を設けている。吐出口１６の下方には、空間を介して還元剤の亜硫酸カルシウムを主成分とし、水に徐溶性の結合剤により固結した成形体１７を収納し、上部通水口１８ａと下部通水口１８ｂを有する収納ケース１８を配置する収納部１９を設けている。収納部１９の上部に蓋部２０を設け、この蓋部２０に吐出口１６からの吐出水で覆われる導水口２１を設け、収納部１９の底部には排水口２２を設け、吐出口１６からの吐出水の一部が成形体１７の表面を経由して、残りの吐出水とともに給水口（図示せず）から水槽内に給水できるように構成している。
【００３２】
上記構成において、給水弁（図示せず）が開くと、水道水は給水ノズル１５を通して吐出口１６より収納部１９の蓋部２０の上に吐出される。この吐出水の一部が蓋部２０の導水口２１より吐出圧により矢印のように供給され、収納部１９内へ吐出圧により加圧供給された水道水は、収納ケース１８の上部通水口１８ａと下部通水口１８ｂを通して収納部１９の底部排水口２２から流れ出る。
【００３３】
このとき、成形体１７の結合剤が徐々に溶解して水道水中へ亜硫酸カルシウムの微粒子が分散放出され、水道水とともに排水口２２から流れ出す。この後、再び導水口２１の所で分かれた残りの水道水と合流して給水口（図示せず）から水槽内に給水される。
【００３４】
水道水中に分散放出された亜硫酸カルシウム微粒子は、成形体１７の表面から給水口および水槽において、水道水中の酸化作用のある残留遊離塩素と酸化還元反応して遊離塩素を除去することができる。したがって、水道水に含まれる残留遊離塩素の酸化作用による色柄物（染料）の変退色やシルクの黄変や各種有機系の繊維表面加工材の酸化などを防止することができる。なお、還元剤の交換時期は、成形体１７が残っているかを確認することで容易に判別することができる。
【００３５】
（実施例２）
図２に示すように、吐出口１６の断面形状を略平行な直線形状とし、収納ケース１９の蓋部２０に設けた導水口２１の受け入れ面積を、吐出口１６の開口面積よりも小さく構成している。他の構成は上記実施例１と同じである。
【００３６】
上記構成において、給水弁（図示せず）が開くと、水道水は給水ノズル１５の吐出口１６から拡散しないで蓋部２０の中央部に吐出される。この結果、吐出水の一部が、収納ケース１９の蓋部２０に設けた導水口２１を通して、収納部１９内へ吐出水の水圧を余り低下させずに加圧でき供給される。供給された水道水は収納ケース１８の上部通水口１８ａと下部通水口１８ｂを通して収納部１９の底部に設けた排水口２２から流れ出る。この後、再び導水口２１の所で分かれた残りの水道水と合流して給水口（図示せず）から水槽内に給水される。
【００３７】
水道水中に分散放出された亜硫酸カルシウム微粒子は、成形体１７の表面から給水口および水槽において、水道水中の酸化作用のある残留遊離塩素と酸化還元反応して遊離塩素を除去することができる。したがって、水道水に含まれる残留遊離塩素の酸化作用による色柄物（染料）の変退色やシルクの黄変や各種有機系の繊維表面加工材の酸化などを防止することができる。なお、還元剤の交換時期は、成形体１７が残っているかを確認することで容易に判別することができる。
【００３８】
（実施例３）
図３に示すように、収納部１９の底部にフィルター２３を配置した構成としている。他の構成は上記実施例２と同じである。
【００３９】
上記構成において、洗濯機を使用中に、成形体１７の主成分である亜硫酸カルシウム粒子を結合する結合剤の保持力が低下して部分的に崩壊粒子を生じた場合や、成形体１７の表面に亜硫酸カルシウムの凝集粒子を生成した場合においても、排水口２２に配置したフィルター２３によりろ過され、また、蓋部２０の導水口２１は吐出水により水シールされているので、水槽内にはフィルター２３を通過する亜硫酸カルシウム微粒子だけが水道水とともに給水口（図示せず）から水槽内に供給される。
【００４０】
水道水中に分散放出された亜硫酸カルシウム微粒子は、成形体１７の表面から給水口および水槽において、水道水中の酸化作用のある残留遊離塩素と酸化還元反応して遊離塩素を除去することができる。
【００４１】
なお、本実施例では、上記実施例２の収納部１９の底部にフィルター２３を配置した構成について説明したが、上記実施例１の収納部１９についても同様に構成することができ、同様の作用効果を得ることができる。
【００４２】
（実施例４）
図４に示すように、給水ノズル１５に吐出水案内用の管部２４を設けた構成としている。他の構成は上記実施例３と同じである。
【００４３】
上記構成において、給水弁（図示せず）が開かれると、給水ノズル１５を介して管部２４から導水口２１へ水道水を案内し、導水口２１を通して収納部１９内に水道水を加圧供給する。この結果、導水口２１を水シールしながら大部分の吐出水が、収納ケース１９の蓋部２０に設けた導水口２１を通して、収納部１９内へ吐出水の水圧を低下させずに加圧供給される。供給された水道水は収納ケース１８の上部通水口１８ａと下部通水口１８ｂを通して収納部１９の底部に設けた排水口２２から流れ出る。この後、再び導水口２１の所で分かれた残りの水道水と合流して給水口（図示せず）から水槽内に給水される。
【００４４】
水道水中に分散放出された亜硫酸カルシウム微粒子は、成形体１７の表面から給水口および水槽において、水道水中の酸化作用のある残留遊離塩素と酸化還元反応して遊離塩素を除去することができる。
【００４５】
なお、本実施例では、上記実施例３の給水ノズル１５に吐出水案内用の管部２４を設けた構成について説明したが、上記実施例１または２の給水ノズル１５についても同様に構成することができ、同様の作用効果を得ることができる。
【００４６】
（実施例５）
図５に示すように、給水ノズル１５に設けた吐出水案内用の管部２４の出口側に細径部２４ａを設けて内径を絞った構成としている。他の構成は上記実施例４と同じである。
【００４７】
上記構成において、給水弁（図示せず）が開かれると、給水ノズル１５を介して流れる水道水は管部２４の細径部２４ａで絞られる。このとき、導水口２１へ、より加圧されて供給されるので、成形体１７の表面を流れる水道水の流速が速くなり、実施例４よりも亜硫酸カルシウムの溶出量を増加できる。この結果、遊離塩素除去能力を高めることができる。また、吐出口１６と導水口２１との空間距離を大きくとった場合や収納部１９内の流路抵抗が高い場合でも、導水口２１へ水道水を一定量流入させることができる。
【００４８】
（実施例６）
図６に示すように、導水口２１の周縁部２５を蓋部２０の内方に向けて傾斜した構成としている。他の構成は上記実施例５と同じである。
【００４９】
上記構成において、給水弁（図示せず）が開かれると、水道水は給水ノズル１５を介して管部２４で絞られ、導水口２１とその周縁部２５に吐出される。吐出水は周縁部２５の傾斜面により導水口２１へ加圧供給され、吐出水が周縁部２５の傾斜面に沿って収納部１９内に流入するので、吐出水の一定量を精度よく収納部１９へ流入させることができる。導水口２１から供給された水は収納部１９内に配設された収納ケース１８の上部通水口１８ａと下部通水口１８ｂを通して収納部１９の底部に設けた排水口２２から流れ出る。
【００５０】
水道水中に分散放出された亜硫酸カルシウム微粒子は、成形体１７の表面から給水口および水槽において、水道水中の酸化作用のある残留遊離塩素と酸化還元反応して遊離塩素を除去することができる。
【００５１】
なお、本実施例では、上記実施例５の導水口２１の周縁部２５を蓋部２０の内方に向けて傾斜した構成について説明したが、上記実施例１〜４の蓋部２０についても同様に構成することができ、同様の作用効果を得ることができる。
【００５２】
（実施例７）
図７に示すように、導水口２１の周縁部２５の傾斜面に流水方向に長い複数個の凸部２５ａを設け、凸部２５ａ間に溝２５ｂを構成している。他の構成は上記実施例６と同じである。
【００５３】
上記構成において、給水弁（図示せず）が開かれると、水道水は給水ノズル１５を介して管部２４で絞られ、導水口２１とその周縁部２５に吐出される。周縁部２５に吐出された吐出水は凸部２５ａ間の溝２５ｂにより整流されて導水口２１より収納部１９内に加圧供給され、収納部１９内の還元剤の成形体の表面を経由して給水口を通して、水槽へ給水される。
【００５４】
水道水中に分散放出された亜硫酸カルシウム微粒子は、成形体の表面から給水口および水槽において、水道水中の酸化作用のある残留遊離塩素と酸化還元反応して遊離塩素を除去することができる。
【００５５】
（実施例８）
図８に示すように、導水口２１の周縁部２５の傾斜面を略すり鉢状に構成し、傾斜面に沿って複数個の略円弧状の凸部２５ｃを設け、凸部２５ｃ間に導水口２１の中心に向かう略円弧状の溝２５ｄを構成している。他の構成は上記実施例６と同じである。
【００５６】
上記構成において、給水弁（図示せず）が開かれると、水道水は給水ノズル１５を介して管部２４で絞られ、導水口２１とその周縁部２５に吐出される。周縁部２５に吐出された吐出水は略円弧状の溝２５ｄにより回転が加わり、吐出水の圧力分布が均一化されて導水口２１より収納部１９内に加圧供給され、収納部内の還元剤の成形体表面を経由して給水口を通して、水槽へ給水される。
【００５７】
水道水中に分散放出された亜硫酸カルシウム微粒子は、成形体１７の表面から給水口および水槽において、水道水中の酸化作用のある残留遊離塩素と酸化還元反応して遊離塩素を除去することができる。
【００５８】
（実施例９）
図９に示すように、導水口２１の下部に略傘状の水受け部２６を配設し、導水口２１から受け入れる水を収納部１９内で拡散するように構成している。他の構成は上記実施例６と同じである。
【００５９】
上記構成において、給水弁（図示せず）が開かれると、水道水は給水ノズル１５を通して管部２４で絞られ、導水口２１とその周縁部２５に吐出される。吐出水は周縁部２５の傾斜面により導水口２１へ加圧供給され、水受け部２６の斜面に沿って収納部１９内に拡散され、収納部１９内に配設された収納ケース１８の上部通水口１８ａと下部通水口１８ｂを通して収納部１９の底部に設けた排水口２２から流れ出る。
【００６０】
水道水中に分散放出された亜硫酸カルシウム微粒子は、成形体１７の表面から給水口および水槽において、水道水中の酸化作用のある残留遊離塩素と酸化還元反応して遊離塩素を除去することができる。
【００６１】
なお、本実施例では、上記実施例６の導水口２１の下部に略傘状の水受け部２６を配設した構成について説明したが、上記実施例１〜５または実施例７、８についても同様に構成することができ、同様の作用効果を得ることができる。
【００６２】
（実施例１０）
図１０に示すように、収納部１９に配設した蓋部２０の裏面に導水口２１を囲む凸部２７を設けている。他の構成は上記実施例６と同じである。
【００６３】
上記構成において、給水弁（図示せず）が開かれると、水道水は給水ノズル１５を通して管部２４で絞られ、導水口２１とその周縁部２５に吐出される。吐出水は周縁部２５の傾斜面により導水口２１へ加圧供給され、水受け部２６の斜面に沿って収納部１９内に拡散される。このとき、収納部１９内は水道水で満たされているが、水道水の主な流れは、導水口２１を囲む凸部２７の内径側の壁で収納ケース１８の上面に案内され、収納ケース１８の上部通水口１８ａと下部通水口１８ｂを介して収納部１９の底部排水口２２から流れ出る。
【００６４】
水道水中に分散放出された亜硫酸カルシウム微粒子は、成形体１７の表面から給水口および水槽において、水道水中の酸化作用のある残留遊離塩素と酸化還元反応して遊離塩素を除去することができる。また。成形体１７が均一に消耗していく位置に凸部２７を配置し、導入水を成形体１７の表面へ案内することで、長期間一定量の還元剤を溶出することができる。
【００６５】
なお、本実施例では、上記実施例６の蓋部２０の裏面に導水口２１を囲む凸部２７を設けた構成について説明したが、上記実施例１〜５または実施例７〜９の蓋部２０についても同様に構成することができ、同様の作用効果を得ることができる。
【００６６】
（実施例１１）
図１１に示すように、洗剤ケース２８は、洗濯機本体２９に着脱自在に設けており、この洗剤ケース２８の後端に収納部１９を爪部３０により着脱自在に嵌着している。洗剤ケース２８上にシャワーノズル３１を配設し、収納部１９の導水口２１上に還元剤の成形体１７に水道水を供給する吐出用管部２４を配置している。収納部１９の構成は上記実施例１０と同じである。
【００６７】
上記構成において、給水弁（図示せず）が開かれると、水道水はシャワーノズル３１で分岐され、一方は洗剤ケース２８内に吐出され、他方は吐出用管部２４から導水口２１を介して収納部１９内に入り、成形体１７の表面を経由して排水口２２から流れ出る。このとき、再び水道水が合流して給水口６より水槽３２に供給される。
【００６８】
水道水中に分散放出された亜硫酸カルシウム微粒子は、成形体１７の表面から給水口および水槽において、水道水中の酸化作用のある残留遊離塩素と酸化還元反応して遊離塩素を除去することができる。
【００６９】
還元剤の成形体１７を配設した収納部１９を洗濯機本体２９に着脱自在に装着することで、ユーザーが色物と白物の分け洗いを行う場合に、遊離塩素を除去する必要のある色物やシルク洗う時に収納部１９を装着し、白物を洗う場合には収納部１９を取り外すことで経済的に洗濯を行うことができる。また、メーカーは遊離塩素除去機能をオープション化することができる。
【００７０】
なお、本実施例では、上記実施例１０の収納部１９について説明したが、上記実施例１〜９の収納部１９についても同様であり、同様の作用効果を得ることができる。
【００７１】
（実施例１２）
上記実施例１０の図１０に示す構成で、成形体１７の収納ケース１８の蓋部と収納部１９の蓋部２０を透視可能な樹脂とし、さらに、成形体１７の色は本来の白色で、収納ケース１８の色は青色で構成している。
【００７２】
上記構成において、給水弁（図示せず）が開かれると、水道水は給水ノズル１５から給水された水道水が、導水口２１を介し、収納ケース１８の通水口１８ａを通じて成形体１７の表面を経由すると、成形体１７の表面から結合剤が徐々に溶解して水道水中へ亜硫酸カルシウムの微粒子が分散放出される。次に、亜硫酸カルシウムの微粒子と水道水は通水口１８ｂと排水口２２を介して水槽へ供給される。この結果、水道水中の酸化作用のある残留遊離塩素と酸化還元反応して遊離塩素を除去することができる。
【００７３】
成形体１７の表面から結合剤が徐々に溶解して、水道水中へ亜硫酸カルシウムの微粒子が分散放出されると、成形体１７は徐々に消耗していく。この消耗状態を収納ケース１８の蓋部と収納部１９の蓋部２０を透視して見ることができ、容易に交換時期を示すことができる。
【００７４】
このとき、収納ケース１８内の成形体１７の消耗状態は、収納ケース１８と成形体１７を異なる色としていることにより、さらに容易に認識することができる。そして、交換するときは、成形体１７に直接触れることなく、収納ケース１８と一体で交換することができる。
【００７５】
なお、本実施例は、収納部１９の蓋部２０を透視可能な樹脂としているが、収納部１９を透視可能な樹脂としてもよく、また、収納部１９と蓋部２０とを透視可能な樹脂としてもよい。
【００７６】
また、本実施例では、上記実施例１０の収納部１９について説明したが、上記実施例１〜９の収納部１９についても同様であり、同様の作用効果を得ることができる。
【００７７】
（実施例１３）
図１２に示すように、開閉カバー３３は、前後にスライドすることで、収納部１９の蓋部２０の中央に配置した導水口２１を開閉するものである。他の構成は上記実施例１１と同じである。
【００７８】
上記構成において、遊離塩素による変褪色の恐れのない綿や化繊の白物を洗う時は、洗剤ケース２８を手前に引き出して、導水口２１を開閉する開閉カバー３３を奥へスライドさせて導水口２１を閉じてから、再び洗剤ケース２８を奥へ入れる。これにより、水道水の給水時には、吐出用管部２４の吐出水は開閉カバー３３に当たり、収納部１９の外周から給水口６へ流れる。この結果、消耗材の成形体１７を経済的に使用できる。
【００７９】
また、本実施例では、上記実施例１１の収納部１９について説明したが、上記実施例１〜１０の収納部１９についても同様であり、同様の作用効果を得ることができる。
【００８０】
（実施例１４）
図１３に示すように、底カバー３４は、収納部１９の底部に配置した排水口２２を閉塞するもので、収納部１９に着脱自在に設けている。他の構成は上記実施例１０と同じである。
【００８１】
上記構成において、遊離塩素による変褪色の恐れのない綿や化繊の白物を洗う時は、洗剤ケース（図示せず）より収納部１９を取り外し、収納部１９の底部に排水口２２を閉塞する底カバー３４を嵌着する。また、色物やシルクを洗うときには収納部１９より底カバー３４を外し、収納部１９を洗剤ケース（図示せず）に嵌着する。この結果、収納部１９の取り外し時に、収納部１９内の亜硫酸カルシウムの微粉が分散した残水による他への汚染を防止できる。
【００８２】
また、色物やシルクを洗うときは、水道水中の酸化作用のある残留遊離塩素と亜硫酸カルシウムが酸化還元反応して遊離塩素を除去することができ、遊離塩素による変褪色の恐れのない綿や化繊の白物を洗う時は、消耗材の成形体１７を使用しないので経済的に使用できる。
【００８３】
また、本実施例では、上記実施例１０の収納部１９について説明したが、上記実施例１〜９の収納部１９についても同様であり、同様の作用効果を得ることができる。
【００８４】
【発明の効果】
以上のように本発明の請求項１に記載の発明によれば、水道水に含まれる遊離塩素を還元する徐溶性の還元剤の成形体を配設した収納部と、前記成形体へ水道水を供給する吐出口を有する給水部とを備え、前記収納部に配設した蓋部に前記吐出口からの吐出水が覆う大きさを有する導水口を設け、前記吐出水の一部を前記成形体の表面を経由し収納部に設けた排水口を通して水槽内へ給水するように構成したから、水道水の流量が多い場合に、吐出口と導水口が空間を介して隔てていても、吐出水が導水口を覆うので、収納部内の水道水が導水口からオーバーフローすることがなく、吐出圧が収納部内に加わり、成形体表面を経由して流れる水道水の流速を速くするので、水道水の流量が多い場合でも、水槽への還元剤の必要溶出濃度を確保することができる。この結果、一定量の還元剤を溶出させて、給水した水道水に含まれる残留遊離塩素と酸化還元反応を生じさせることにより、残留遊離塩素を除去することができ、水道水に含まれる残留遊離塩素の酸化作用による色柄物（染料）の変退色やシルクの黄変や各種有機系の繊維表面加工材の酸化等を防止することができる。また、溶出型の還元剤の成形体であり、従来例と異なり、水との大きな接触面積を必要としないことから、コンパクト化できるとともに、還元剤をほぼ１００％有効に使用でき、さらに、還元剤の交換時期についても使用者が成形体の消耗状態を確認することでわかるだけでなく、簡単に交換することができる。
【００８５】
また、請求項２に記載の発明によれば、収納部に配設した蓋部の導水口の面積を、吐出口の開口面積より小さくしたから、水道水圧や水量が変動しても、導水口の面積に対する吐出水の面積はほとんど変化しないので、導水口の外周に水道水による疑似パイプを形成することができ、収納部を通過する水道水と通過しない水道水の比率をほぼ一定となり、還元剤の溶出量を安定させることができる。また、吐出口の開口面積を導水口の開口面積に近づけることで収納部外に流れる水道水を抑制でき、この結果、還元剤の溶出濃度を安定させることと溶出濃度を高くでき、また、吐出圧を大きくすることも可能となり、収納部内の流路抵抗が高い場合にも収納部内を流れる水道水量を確保することができる。この結果、一定の還元剤溶出濃度を設定できる。
【００８６】
また、請求項３に記載の発明によれば、収納部に設けた排水口にフィルターを配置したから、還元剤の成形体が使用中に成形体表面で凝集による粗大粒子を生成したり、結合剤と還元剤の溶出スピードの差による成形体の部分的崩れによる粗大粒子を生じた場合にも、上部の導水口は吐出水圧により水シールされ、下部の排水口はフィルターによりろ過されるので、水槽内へ粗大粒子の流入がく、洗濯物への粒子付着を防止できる。
【００８７】
また、請求項４に記載の発明によれば、給水経路に配設した吐出口に吐出水案内用の管部を設け、前記管部の吐出口を蓋部の導水口に対向させたから、水道水圧や流量の変動あるいは給水経路内の水圧分布に関係なく吐出水を整流して正確に導水口へ案内することができ、この結果、水道水を収納部へ一定量流入させることができる。
【００８８】
また、請求項５に記載の発明によれば、管部の出口部の内径を絞ったから、吐出水の水圧を高めることができるので、吐出口と導水口との空間距離を大きくとった場合や収納部内の流路抵抗が高い場合でも、導水口へ水道水を一定量流入させることができる。
【００８９】
また、請求項６に記載の発明によれば、導水口の周縁部を蓋部の内方に向けて傾斜させたから、導水口近傍の水道水へ吐出圧が加わり、吐出水が傾斜面に沿って成形体の収納部内に流入するので、吐出水の一定量を精度よく成形体の収納部へ流入させることができる。
【００９０】
また、請求項７に記載の発明によれば、導水口の周縁部の傾斜面に流水方向に長い複数個の溝を設けたから、導水口から受け入れる水を整流して成形体の収納部へ流入させることができる。
【００９１】
また、請求項８に記載の発明によれば、導水口の周縁部の傾斜面を略すり鉢状に構成し、前記傾斜面に導水口の中心に向かう複数個の略円弧状の溝を設けたから、導水口から受け入れる水に略円弧状の溝により回転を加えて、導入水の圧力分布を均等化して成形体の収納部へ流入させることができる。
【００９２】
また、請求項９に記載の発明によれば、導水口から受け入れる水を収納部内で拡散する略傘状の水受け部を配設したから、導水口から受け入れる水を略傘状の水受け部で成形体の収納部内に拡散させるので、導水口での水圧低下が少なく成形体の表面を流れる水道水の流速を低下させることがなく、成形体の収納部への導入水量を増加させることができる。
【００９３】
また、請求項１０に記載の発明によれば、収納部に配設した蓋部の裏面に導水口を囲むように凸部を設けたから、成形体が均一に消耗していく位置に凸部を配置して、導入水を成形体の表面へ案内することで、長期間一定量の還元剤を溶出することができる。
【００９４】
また、請求項１１に記載の発明によれば、還元剤の成形体を配設した収納部を、洗濯機本体側に対し着脱自在に装着したから、ユーザーが色物と白物の分け洗いを行う場合に、遊離塩素を除去する必要のある色物やシルク洗う時に還元剤の成形体を配設した収納部を装着し、白物を洗う場合には収納部を取り外すことで経済的に洗濯を行うことができる。また、メーカーは遊離塩素除去機能をオープション化することができる。
【００９５】
また、請求項１２に記載の発明によれば、還元剤の成形体を配設した収納部または収納部に配設した蓋部の内、すくなくとも一方を透視可能な構成としたから、収納部を水道水が通過するごとにより、還元剤の成形体がほぼ一定量溶出することで、徐々に成形体が徐々に消耗して交換時期となると、使用者へ成形体が消耗してなくなったこと示すことができる。
【００９６】
また、請求項１３に記載の発明によれば、導水口を開閉自在に構成したから、ユーザーが色物と白物の分け洗いを行う場合に、遊離塩素を除去する必要のある色物やシルクを洗う時に導水口を開き、白物を洗う場合に導水口を閉じることを収納部を取り外す負担もなく簡単に切り替えれるので経済的に洗濯することができる。
【００９７】
また、請求項１４に記載の発明によれば、収納部に設けた排出口を、閉塞可能としたから、収納部を洗濯機本体側から取り外した時に排出口を閉じておくことで、還元剤の溶出した残水による他への汚染を防止するので何処にでも置くことができる。
【図面の簡単な説明】
【図１】本発明の第１の実施例の洗濯機の要部断面図
【図２】本発明の第２の実施例の洗濯機の要部断面図
【図３】本発明の第３の実施例の洗濯機の要部断面図
【図４】本発明の第４の実施例の洗濯機の要部断面図
【図５】本発明の第５の実施例の洗濯機の要部断面図
【図６】本発明の第６の実施例の洗濯機の要部断面図
【図７】本発明の第７の実施例の洗濯機の要部の一部切欠した斜視図
【図８】本発明の第８の実施例の洗濯機の要部の一部切欠した斜視図
【図９】本発明の第９の実施例の洗濯機の要部断面図
【図１０】本発明の第１０の実施例の洗濯機の要部断面図
【図１１】  本発明の第１１の実施例の洗濯機の一部切欠した断面図
【図１２】本発明の第１３の実施例の洗濯機の一部切欠した断面図
【図１３】本発明の第１の実施例の洗濯機の要部断面図
【図１４】従来の洗濯機の一例の要部分解斜視図
【図１５】  (a) 従来の洗濯機の他の例の要部分解斜視図
(b) 同洗濯機の残留遊離塩素除去装置の断面図
【図１６】  (a) 従来の洗濯機の他の例の要部分解斜視図
(b) 同洗濯機のカートリッジの一部切欠した斜視図
【符号の説明】
１５  給水ノズル（給水部）
１６  吐出口
１７  成形体
１９  収納部
２０  蓋部
２１  導水口
２２  排水口
【図１】
0003752779.tif 000002
【図２】
0003752779.tif 000003
【図３】
0003752779.tif 000004
【図４】
0003752779.tif 000005
【図５】
0003752779.tif 000006
【図６】
0003752779.tif 000007
【図７】
0003752779.tif 000008
【図８】
0003752779.tif 000009
【図９】
0003752779.tif 000010
【図１０】
0003752779.tif 000011
【図１１】
0003752779.tif 000012
【図１２】
0003752779.tif 000013
【図１３】
0003752779.tif 000014
【図１４】
0003752779.tif 000015
【図１５】
0003752779.tif 000016
【図１６】
0003752779.tif 000017